(57)【要約】【課題】部品点数を増加させることなく、簡易な構成にすることができるとともに、端子同士の接続パターンを容易に変更することができるジョイントコネクタを提供する。【解決手段】ハウジング２２と、ハウジング２２内に並べて支持された複数のオス端子２４と、を有し、ハウジング２２と相手コネクタハウジング４２とが嵌合されたとき、複数のオス端子２４と相手コネクタ４０に取付けられた複数のメス端子４４とを電気的に接続して接続状態を保持するジョイントコネクタ２０において、ハウジング２２内に設けられ、各々所定の隣接した２つのオス端子２４を電気的に接続する第１の位置と接続しない第２の位置の間でスライド移動可能な複数の導体板部２６と、各導体板部２６に連結され、各導体板部２６と一体でスライド移動可能にハウジング２２の外面側に設けられた複数のスライドレバー３０と、を備える。【選択図】図３
2017188285.tif 000002
【特許請求の範囲】
【請求項１】
ハウジングと、前記ハウジング内に並べて支持された複数の端子と、を有し、前記ハウジングと相手コネクタハウジングとが嵌合されたとき、前記複数の端子と相手コネクタに取付けられた複数の接続端子とを電気的に接続して接続状態を保持するジョイントコネクタにおいて、
前記ハウジング内に設けられ、各々所定の隣接した２つの前記端子を電気的に接続する第１の位置と接続しない第２の位置の間でスライド移動可能な複数の導体板部と、
前記各導体板部に連結され、前記各導体板部と一体でスライド移動可能に前記ハウジングの外面側に設けられた複数のスライドレバーと、を備えたことを特徴とするジョイントコネクタ。
【請求項２】
前記複数の端子は上下二段に並べて配置され、前記複数の導体板部は、前記上下二段の各段で隣接した前記端子間、および少なくとも１箇所にて上下段で隣接した前記端子間のそれぞれについて各両端子を電気的に接続する前記第１の位置と接続しない前記第２の位置の間でスライド移動可能であることを特徴とする請求項１に記載のジョイントコネクタ。
【発明の詳細な説明】
【技術分野】
【０００１】
本発明は、ジョイントコネクタに関する。
【背景技術】
【０００２】
従来、自動車用のワイヤハーネスを構成する複数の電線を所定の組合せで電気的に接続するために、ジョイントコネクタが用いられている。一般に、ジョイントコネクタは、ハウジングと、ハウジング内に並べて支持された複数の端子と、所定の端子同士の組合せを電気的に接続するバスバーと、を備えている。
【０００３】
このハウジングと相手コネクタハウジングとが嵌合されたとき、これら複数の端子と相手コネクタに取付けられた複数の接続端子とを電気的に接続して接続状態を保持している。相手ハウジングの接続端子には、ワイヤハーネスの各電線の端部が接続されている。したがって、ワイヤハーネスの電線は、所定の端子同士が電気的に接続されたジョイントコネクタにより、所定の組合せで電気的に接続されることとなる。
【０００４】
しかし、電気的に接続する電線の組合せを変更するためには、ジョイントコネクタのバスバーを変更する必要があり、電気的な接続を行う電線の組合せ毎に端子同士の接続パターンの異なるジョイントコネクタを用意する必要があった。そこで、電気的に接続する電線の組合せ（すなわち、端子同士の接続パターン）を容易に変更できるように様々な対策がとられている（例えば、特許文献１および特許文献２参照）。
【０００５】
特許文献１には、第１コネクタと第２コネクタの嵌合時にジョイント用メス端子の内部に挿入されるオス端子によりメス端子が弾性変形して隣のメス端子と接触する構成のジョイントコネクタが開示されている。隣接するメス端子にそれぞれオス端子が挿入されると、これらメス端子同士が接続されるので、オス端子に接続された電線を所望の組合せで接続することができる。
【０００６】
また、特許文献２には、複数のキャビティが形成されたメスコネクタハウジングにおいて、メス端子が２つ以上のキャビティ間にまたがって配置され、嵌合時にオスコネクタハウジングのオス端子が各キャビティ内に挿入されてメス端子間を電気的に接続する構成のジョイントコネクタが開示されている。オス端子の配置、形状を変えることにより、メス端子同士の接続パターンを変更することができる。
【先行技術文献】
【特許文献】
【０００７】
【特許文献１】特開２０１０−７３５１４号公報
【特許文献２】特開２０１０−２２５３５８号公報
【発明の概要】
【発明が解決しようとする課題】
【０００８】
しかしながら、特許文献１に記載のものにあっては、接続されないジョイント用メス端子間に、使用されないメス端子を一つ設けなければならず、部品点数が増加してジョイントコネクタの構成が複雑になっていた。また、接続パターン毎に専用の相手コネクタを用意する必要があり、接続パターンを変更するのが難しかった。
【０００９】
また、特許文献２に記載のものにあっては、オス端子の配置パターンや形状を変更することにより、メス端子同士の接続パターンを変更する構成であるので、特許文献１と同様に、接続パターン毎に専用の相手コネクタを用意する必要があり、接続パターンを変更するのが難しかった。専用の相手コネクタを新たに用意する際には電線端子の誤接続のリスクもあった。
【００１０】
本発明は、上述のような課題を解決するためになされたもので、部品点数を増加させることなく、簡易な構成にすることができるとともに、端子同士の接続パターンを容易に変更することができるジョイントコネクタを提供することを目的とする。
【課題を解決するための手段】
【００１１】
本発明に係るジョイントコネクタは、上記目的達成のため、ハウジングと、前記ハウジング内に並べて支持された複数の端子と、を有し、前記ハウジングと相手コネクタハウジングとが嵌合されたとき、前記複数の端子と相手コネクタに取付けられた複数の接続端子とを電気的に接続して接続状態を保持するジョイントコネクタにおいて、前記ハウジング内に設けられ、各々所定の隣接した２つの前記端子を電気的に接続する第１の位置と接続しない第２の位置の間でスライド移動可能な複数の導体板部と、前記各導体板部に連結され、前記各導体板部と一体でスライド移動可能に前記ハウジングの外面側に設けられた複数のスライドレバーと、を備えた構成である。
【００１２】
上述したように、本発明に係るジョイントコネクタは、ハウジング内に設けられた複数の導体板部が各々所定の隣接した２つの端子を電気的に接続する第１の位置と接続しない第２の位置の間でスライド移動可能な構成となっている。これにより、特許文献１に記載のように相互に接続される端子群と隣の別の端子群との間に未使用の端子を設ける必要はない。よって、部品点数を増加させることなく、簡易な構成にすることができる。
【００１３】
また、本発明に係るジョイントコネクタでは、複数のスライドレバーがそれぞれ、各導体板部に連結され、各導体板部と一体でスライド移動可能にハウジングの外面側に設けられている。これにより、各スライドレバーをスライド移動させることで、対応する各導体板部を第１の位置と第２の位置の間でスライド移動させて、２つの端子同士が接続した状態と切断した状態とを切り替えることができる。
【００１４】
すなわち、各スライドレバーをジョイントコネクタの外面側からスライド操作するだけで端子同士の接続パターンを変更することができる。したがって、特許文献１および２に記載のように、端子の接続パターンを変更するために専用の端子構成の相手コネクタを新たに用意する必要がない。よって、本発明では端子同士の接続パターンを容易に変更することができる。
【００１５】
以上のように、本発明によれば、部品点数を増加させることなく、簡易な構成にすることができるとともに、端子同士の接続パターンを容易に変更することができる。
【００１６】
また、前記複数の端子は上下二段に並べて配置され、前記複数の導体板部は、前記上下二段の各段で隣接した前記端子間、および少なくとも１箇所にて上下段で隣接した前記端子間のそれぞれについて各両端子を電気的に接続する前記第１の位置と接続しない前記第２の位置の間でスライド移動可能な構成としてもよい。
【００１７】
この構成により、上下二段のすべての端子を接続する接続パターンを実現することができ、また、隣接する端子間での電気的な接続状態と切断状態とを切り替えることで、多用な接続パターンを得ることができる。
【発明の効果】
【００１８】
本発明によれば、部品点数を増加させることなく、簡易な構成にすることができるとともに、端子同士の接続パターンを容易に変更することができるジョイントコネクタを提供することができる。
【図面の簡単な説明】
【００１９】
【図１】本発明の実施の形態に係るジョイントコネクタおよび相手コネクタを示し、図１（ａ）は嵌合前の概略斜視図であり、図１（ｂ）は嵌合後の概略斜視図である。
【図２】本発明の実施の形態に係るジョイントコネクタの正面側の概略斜視図である。
【図３】図３（ａ）は本発明の実施の形態に係るジョイントコネクタの概略正面図であり、図３（ｂ）は概略背面図である。
【図４】図３（ｂ）のＡ−Ａ断面図である。
【図５】図５（ａ）は図４のＢ−Ｂ断面拡大図であり、図５（ｂ）は図４のＣ−Ｃ断面拡大図である。
【図６】スライドレバーおよび導体板部を示し、図６（ａ）は分解正面図であり、図６（ｂ）は組付け後の正面図であり、図６（ｃ）は図６（ｂ）のＤ−Ｄ矢視側面図である。
【図７】オス端子間の接続パターンを変更する様子を示し、（Ａ−１）および（Ｂ−１）はコ字状の接続パターンに設定されたジョイントコネクタの概略正面図および概略背面図であり、（Ａ−２）および（Ｂ−２）は別の接続パターンに変更した場合のジョイントコネクタの概略正面図および概略背面図である。
【図８】オス端子間の接続パターンを例示し、（Ａ−１）〜（Ａ−４）は各接続パターンにおけるジョイントコネクタの概略正面図であり、（Ｃ−１）〜（Ｃ−４）は各接続パターンを概念的に示した概念図である。
【発明を実施するための形態】
【００２０】
以下、本発明の実施の形態について、図面を参照して説明する。
【００２１】
図１および図２に示すように、本実施の形態に係るジョイントコネクタ２０は、ハウジング２２と、ハウジング２２内に並べて支持された複数のオス端子２４ａ〜２４ｆと、を有している。ジョイントコネクタ２０は、複数のオス端子２４ａ〜２４ｆのうち所定のオス端子同士を電気的に接続する構成を有している。
【００２２】
図１に示すように、ジョイントコネクタ２０は、ハウジング２２と相手コネクタハウジング４２とが嵌合されたとき、複数のオス端子２４ａ〜２４ｆと相手コネクタ４０に取付けられた複数のメス端子４４とを電気的に接続して接続状態を保持するようになっている。本実施形態では、ジョイントコネクタ２０にオス端子２４ａ〜２４ｆが設けられ、相手コネクタ４０にメス端子４４が設けられた構成であるが、これに限定されず、ジョイントコネクタ２０にメス端子を設け、相手コネクタ４０にオス端子を設けた構成としてもよい。
【００２３】
相手コネクタ４０は直方体形状の合成樹脂製の成形品であり、６つの端子収容孔４６が貫通して形成されている。各端子収容孔４６には、電線５０の端部に取付けられたメス端子４４が一方の側から挿入、係止されている。コネクタ同士の嵌合時には、ジョイントコネクタ２０の各オス端子２４ａ〜２４ｆが端子収容孔４６の他方の側から挿入され、端子収容孔４６内で各オス端子２４とメス端子４４とが嵌合されるようになっている。
【００２４】
図１および図２に示すように、ハウジング２２は、外観が直方体形状の合成樹脂製の成形品であり、４つの側壁部２２ａ、２２ｂ、２２ｃ、２２ｄと１つの端壁部２２ｅとで囲まれ、前面側が開放され、内部が中空となっている。
【００２５】
オス端子２４ａ〜２４ｆは、上下２段で、各段に３つずつ並べて配置され、各々の端子基部２５ａ〜２５ｆがハウジング２２の端壁部２２ｅに固定されている。本実施形態では６個のオス端子２４が設けられているが、個数はこれに限定されず、他の任意の個数のオス端子を設けるようにしてもよい。
【００２６】
図４に示すように、オス端子２４ａ〜２４ｆの端子基部２５ａ〜２５ｆは横方向に延在しており、隣り合ったオス端子２４の端子基部２５同士は所定の距離だけ離間している。具体的には、端子基部２５ａと２５ｂ、端子基部２５ｂと２５ｃ、端子基部２５ｄと２５ｅ、端子基部２５ｅと２５ｆ、端子基部２５ｃと２５ｆは、それぞれ離間して配置されている。
【００２７】
これらの離間した端子基部間が、スライドレバー３０ａ〜３０ｅにそれぞれ連結された導体板部２６ａ〜２６ｅにより接続されるようになっている。具体的には、端子基部２５ａと２５ｂ、端子基部２５ｂと２５ｃ、端子基部２５ｄと２５ｅ、端子基部２５ｅと２５ｆ、端子基部２５ｃと２５ｆとが、導体板部２６ａ、２６ｂ、２６ｃ、２６ｄ、２６ｅによりそれぞれ接続されるようになっている。
【００２８】
図３および図４に示すように、ジョイントコネクタ２０は、複数の導体板部２６ａ〜２６ｅと、複数のスライドレバー３０ａ〜３０ｅと、を有している。導体板部２６は、ハウジング２２内に設けられ、各々所定の隣接した２つのオス端子２４を電気的に接続する第１の位置と接続しない第２の位置の間でスライド移動可能なようになっている。
【００２９】
具体的には、５つの導体板部２６ａ、２６ｂ、２６ｃ、２６ｄ、２６ｅが、それぞれハウジング２２の端壁部２２ｅに形成されたスライド移動用のまっすぐなスライド溝２９ａ、２９ｂ、２９ｃ、２９ｄ、２９ｅの中を双方向にスライド移動できるようになっている。
【００３０】
図３（ａ）に示すように、スライド溝２９ａは、オス端子２４ａ、２４ｂの端子基部２５ａ、２５ｂの下端縁に沿う方向に延在して設けられている。スライド溝２９ｂは、オス端子２４ｂ、２４ｃの端子基部２５ｂ、２５ｃの上端縁に沿う方向に延在して設けられている。スライド溝２９ｃは、オス端子２４ｄ、２４ｅの端子基部２５ｄ、２５ｅの下端縁に沿う方向に延在して設けられている。スライド溝２９ｄは、オス端子２４ｅ、２４ｆの端子基部２５ｅ、２５ｆの上端縁に沿う方向に延在して設けられている。このように、スライド溝２９は、各段で互い違いに配置されている。また、スライド溝２９ｅは、オス端子２４ｃ、２４ｆの左側の端子基部２５ｃ、２５ｆの左端縁に沿う方向に延在して設けられている。
【００３１】
各スライド溝２９ａ〜２９ｅの長さは、接続するオス端子２４の端子基部２５間の離間した部分より十分長く、各導体板部２６ａ〜２６ｅの幅の２倍程度としている。
【００３２】
図３（ａ）では、すべての導体板部２６が、それぞれ対応するオス端子同士を電気的に接続する第１の位置に配置されている。すなわち、オス端子２４ａと２４ｂ、オス端子２４ｂと２４ｃ、オス端子２４ｄと２４ｅ、オス端子２４ｅと２４ｆ、オス端子２４ｃと２４ｆは、すべてオス端子同士が導体板部２６ａ〜２６ｅを介して接続された接続状態にある。
【００３３】
図３（ａ）において、導体板部２６ａ、２６ｂ、２６ｃ、２６ｄは、それぞれスライド溝２９ａ、２９ｂ、２９ｃ、２９ｄ内を右方向にスライド移動させて、オス端子同士が接続されない第２の位置に配置させることができるようになっている。また、導体板部２６は、スライド溝２９を図中下方向にスライド移動させて、オス端子同士が接続されない第２の位置に配置させることができるようになっている。
【００３４】
図３（ｂ）に示すように、スライドレバー３０ａ〜３０ｅは、各導体板部２６ａ〜２６ｅに連結され、各導体板部２６ａ〜２６ｅと一体でスライド移動可能にハウジング２２の端壁部２２ｅの外面側に設けられている。
【００３５】
具体的には、５つのスライドレバー３０ａ、３０ｂ、３０ｃ、３０ｄ、３０ｅが、それぞれハウジング２２の端壁部２２ｅの外面に形成されたスライド移動用のまっすぐなレバー溝２８ａ、２８ｂ、２８ｃ、２８ｄ、２８ｅの中を双方向にスライド移動できるようになっている。
【００３６】
各レバー溝２８ａ〜２８ｅの底部側には、レバー溝２８ａ〜２８ｅの長手方向に沿って導体板部２６用のスライド溝２９ａ〜２９ｅが形成されている。各レバー溝２８ａ〜２８ｅの長さは、対応する各スライド溝２９ａ〜２９ｅの長さと同じか、あるいは若干長くなっており、各スライドレバー３０ａ〜３０ｅの幅の２倍程度としている。
【００３７】
図６は、スライドレバー３０と導体板部２６との連結構造を示す。図６（ａ）に示すように、スライドレバー３０は、直方体形状の２つのレバー部材３１、３２がその間に矩形の導体板部２６を挟み込んだ構造となっている。具体的には、両レバー部材３１、３２の対向する面に端縁から矩形の凹部３５がそれぞれ形成され、その中に導体板部２６が収容されるようになっている。
【００３８】
また、一方のレバー部材３２の凹部３５からは係合突起３３が設けられ、他方のレバー部材３１の凹部３５には係合凹状部３４が形成され、導体板部２６の端部には貫通孔２７が形成されている。そして、レバー部材３２の係合突起３３が導体板部２６の貫通孔２７に挿通され、もう一方のレバー部材３１の係合凹状部３４と嵌合することで、スライドレバー３０と導体板部２６とを連結するようになっている。
【００３９】
スライドレバー３０の両側面のほぼ中央に抜止め用突部３６が形成されている。抜止め用突部３６は、スライドレバー３０をレバー溝２８に装着しやすいように、テーパ−形状となっている。また、抜止め用突部３６は、スライドレバー３０の一方の側面にだけ設けるようにしてもよい。
【００４０】
スライド溝２９とレバー溝２８について具体的に説明する。以下では、スライド溝２９ｂとレバー溝２８ｂについて説明するが、他のスライド溝２９ａ、２９ｃ〜２９ｅとレバー溝２８ａ、２８ｃ〜２８ｅについても同様である。
【００４１】
図５（ａ）は図４のＢ−Ｂ断面拡大図であり、図５（ｂ）は図４のＣ−Ｃ断面拡大図である。図５（ｂ）に示すように、ハウジング２２の端壁部２２ｅには、導体板部２６の板厚に略等しい幅のスライド溝２９ｂが形成されている。スライド溝２９ｂにおいてオス端子２４ｂの端子基部２５ｂに対応する側は開放しており、導体板部２６ｂと端子基部２５ｂとが接触できるようになっている。
【００４２】
スライド溝２９ｂの上部には、スライドレバー３０の厚みに略等しい幅のレバー溝２８ｂが形成されている。レバー溝２８ｂは下端がスライド溝２９ｂに連通している。スライド溝２９ｂは、ハウジング２２の端壁部２２ｅの下面側に貫通していないが、貫通するようにしてもよい。レバー溝２８ｂの対向する両側面に、抜止め用突部３６をガイドするガイド溝３７が形成されている。
【００４３】
図５（ａ）に示すように、組み付けられたスライドレバー３０と導体板部２６とは、レバー溝２８とスライド溝２９とに装着され、スライド移動できるようになっている。
【００４４】
本実施形態のジョイントコネクタ２０では、各スライドレバー３０ａ〜３０ｅのスライド移動により対応する各導体板部２６ａ〜２６ｅがオス端子同士を電気的に接続する第１の位置と接続しない第２の位置の間でスライド移動することで、２つのオス端子同士が接続した状態と切断した状態とを切り替えるようになっている。
【００４５】
具体的には、複数のオス端子２４ａ〜２４ｆは上下二段に並べて配置されている。また、複数の導体板部２６ａ〜２６ｅは、上下二段の各段で隣接したオス端子間、および少なくとも１箇所にて上下段で隣接したオス端子間のそれぞれについて各両オス端子を電気的に接続する第１の位置と接続しない第２の位置の間でスライド移動可能なようになっている。
【００４６】
本実施形態では、上段のオス端子２４ｃと、それに隣接した下段のオス端子２４ｆとの間に、導体板部２４ｅがスライド移動可能に設けられ、両オス端子が電気的に接続した状態と切断した状態とを切り替えるようになっている。しかし、上下段のオス端子同士をつなぐ箇所はこれに限定されず、例えば、上段のオス端子２４ａと下段のオス端子２４ｄとの間に、さらに別の導体板部をスライド移動可能に設けるようにしてもよい。
【００４７】
次に、オス端子同士の接続パターンを変更する方法を説明する。
図７は、６つのオス端子２４ａ〜２４ｆがコの字状にすべて接続された状態から、２つのオス端子２４ａ、２４ｂのグループと、４つのオス端子２４ｃ、２４ｄ、２４ｅ、２４ｆのグループとに分離した状態に、接続パターンを変更する様子を示している。
【００４８】
（Ａ−１）は、６つのオス端子２４ａ〜２４ｆがコの字状にすべて接続されている場合の導体板部２６ａ〜２６ｅの配置パターンであり、（Ｂ−１）は、スライドレバー３０ａ〜３０ｅの配置パターンである。導体板部２６ａ、２６ｂ、２６ｃ、２６ｄ、２６ｅは、スライドレバー３０ａ、３０ｂ、３０ｃ、３０ｅにそれぞれ連結されている。すべての導体板部２６ａ〜２６ｅは、それぞれに対応する隣接したオス端子同士を電気的に接続する第１の位置にある。
【００４９】
この状態で、スライドレバー３０ｂをユーザが手動でＥ方向にスライド移動させて（Ｂ−２）に示す配置パターンにすると、（Ａ−２）に示すように、導体板部２６ｂが隣接したオス端子２４ｂおよび２４ｃ同士を接続しない第２の位置に移動される。このようにして、オス端子同士の接続パターンが変更される。
【００５０】
図８は、オス端子間の接続パターン（Ａ−１）〜（Ａ―４）を例示し、（Ｃ−１）〜（Ｃ−４）は各接続パターンを概念的に示した概念図である。（Ｃ−１）〜（Ｃ−４）において、符号Ｔａ、Ｔｂ、Ｔｃ、Ｔｄ、Ｔｅ、Ｔｆは、オス端子２４ａ、２４ｂ、２４ｃ、２４ｄ、２４ｅ、２４ｆをそれぞれ概念的に示した端子符号であり、該端子符号をつなぐ直線は両オス端子２４が導体板部２６により接続されていることを示している。
【００５１】
図７に示すオス端子間の接続パターン（Ａ−１）および（Ａ−２）は、図８の接続パターン概念図である（Ｃ−１）および（Ｃ−２）にそれぞれ対応している。
【００５２】
オス端子間の他の接続パターンを図８の（Ａ−３）および（Ａ−４）に示す。（Ａ−３）では、導体板部２６ｅが隣接したオス端子２４ｃおよび２４ｆ同士を接続しない第２の位置にあり、その他の導体板部２６ａ〜２６ｄが隣接したオス端子同士を電気的に接続する第１の位置にある。
【００５３】
（Ａ−３）および（Ｃ−３）に示すように、上段３つのオス端子２４ａ、２４ｂ、２４ｃのグループと下段３つのオス端子２４ｄ、２４ｅ、２４ｆのグループとに分離した接続パターンが実現される。
【００５４】
また、図８の（Ａ−４）では、導体板部２６ｂ、２６ｄは、隣接したオス端子２４ｂ、２４ｃおよび２４ｅ、２４ｆをそれぞれ接続しない第２の位置にあり、その他の導体板部２６ａ、２６ｃ、２６ｅは、隣接したオス端子同士を電気的に接続する第１の位置にある。
【００５５】
（Ａ−４）および（Ｃ−４）に示すように、２つのオス端子２４ａ、２４ｂと２つのオス端子２４ｄ、２４ｅと２つのオス端子２４ｃ、２４ｆとの３グループに分離した接続パターンが実現される。
【００５６】
次に、作用・効果について説明する。
上述したように、本発明の実施形態に係るジョイントコネクタ２０は、ハウジング２２内に設けられた複数の導体板部２６ａ〜２６ｅが各々所定の隣接した２つのオス端子２４を電気的に接続する第１の位置と接続しない第２の位置の間でスライド移動可能な構成となっている。
【００５７】
これにより、特許文献１に記載のように相互に接続される端子群と隣の別の端子群との間に未使用の端子を設ける必要はない。よって、部品点数を増加させることなく、簡易な構成にすることができる。
【００５８】
また、本発明の実施形態に係るジョイントコネクタ２０では、複数のスライドレバー３０ａ〜３０ｅがそれぞれ、各導体板部２６ａ〜２６ｅに連結され、各導体板部２６ａ〜２６ｅと一体でスライド移動可能にハウジング２２の外面側に設けられている。
【００５９】
これにより、各スライドレバー３０ａ〜３０ｅをスライド移動させることで、対応する各導体板部２６ａ〜２６ｅを第１の位置と第２の位置の間でスライド移動させて、２つのオス端子同士が電気的に接続した状態と切断した状態とを切り替えることができる。
【００６０】
すなわち、各スライドレバー３０ａ〜３０ｅをジョイントコネクタ２０の外面側からスライド操作するだけでオス端子同士の接続パターンを変更することができる。したがって、特許文献１および２に記載のように、端子の接続パターンを変更するために専用の端子構成の相手コネクタを新たに用意する必要がない。
【００６１】
相手コネクタを新たに用意しなくてもよいので、既存の相手コネクタが使用でき、コスト高を招くこともなく、また電線５０と相手コネクタ４０との誤接続が起こることもない。よって、端子同士の接続パターンを容易に変更することができる。
【００６２】
したがって、実施形態に係るジョイントコネクタ２０では、部品点数を増加させることなく、簡易な構成にすることができるとともに、端子同士の接続パターンを容易に変更することができる。
【００６３】
また、本発明の実施形態に係るジョイントコネクタ２０では、複数のオス端子２４ａ〜２４ｆは上下二段に並べて配置され、複数の導体板部２６ａ〜２６ｅは、上下二段の各段で隣接したオス端子間、および１箇所にて上下段で隣接したオス端子間のそれぞれについて各両オス端子を電気的に接続する第１の位置と接続しない第２の位置の間でスライド移動可能な構成となっている。なお、上下段で隣接したオス端子間を対象とする電気的に接続する導体板部は、複数箇所を対象としていてもよい。
【００６４】
これにより、上下二段のすべてのオス端子２４ａ〜２４ｆを接続する接続パターンを実現することができ、また、隣接するオス端子間での接続状態と切断状態とを切り替えることで、多用な接続パターンを得ることができる。
【００６５】
本発明は、部品点数を増加させることなく、簡易な構成にすることができるとともに、端子同士の接続パターンを容易に変更することができるという効果を有し、ジョイントコネクタ全般に有用である。
【符号の説明】
【００６６】
２０  ジョイントコネクタ
２２  ハウジング
２４  オス端子（端子）
２５  端子基部
２６  導体板部
３０  スライドレバー
４０  相手コネクタ
４２  相手コネクタハウジング
４４  メス端子（接続端子）
【図１】
2017188285.tif 000003
【図２】
2017188285.tif 000004
【図３】
2017188285.tif 000005
【図４】
2017188285.tif 000006
【図５】
2017188285.tif 000007
【図６】
2017188285.tif 000008
【図７】
2017188285.tif 000009
【図８】
2017188285.tif 000010